(57)【要約】【課題】移動体の位置測定を行うユーザの利便性を向上させることができる携帯端末を提供する。【解決手段】この携帯端末は、移動体の位置測定に用いられる測定用データを取得する測定用データ取得部と、無線通信部と、無線通信部が無線通信可能で移動体上の装置の中から、測定用データ取得部とは別に測定用データを取得可能な取得装置を検出する検出部と、測定用データ取得部および取得装置による測定用データを用いて移動体の測位結果を取得する測位結果取得部とを備える。【選択図】図１
2013213797.tif 000002
【特許請求の範囲】
【請求項１】
移動体の位置測定に用いられる測定用データを取得する測定用データ取得部と、
無線通信部と、
前記無線通信部が無線通信可能で移動体上の装置の中から、前記測定用データ取得部とは別に測定用データを取得可能な取得装置を検出する検出部と、
前記測定用データ取得部および前記取得装置による前記測定用データを用いて前記移動体の測位結果を取得する測位結果取得部と
を備える携帯端末。
【請求項２】
前記測位結果取得部が、前記取得装置から前記測定用データを前記無線通信部により受信し、前記測定用データ取得部および前記取得装置による前記測定用データを用いて測位を行うことで、前記測位結果を取得する請求項１記載の携帯端末。
【請求項３】
前記測位結果取得部が、前記測定用データ取得部による前記測定用データを前記取得装置に前記無線通信部により送信し、前記取得装置および前記測定用データ取得部による前記測定用データに基づいて当該取得装置により測位された結果を受信することで、前記測位結果を取得する請求項１または請求項２記載の携帯端末。
【請求項４】
前記取得装置による前記測定用データを前記移動体の位置測定に用いるか否かを決定する決定部をさらに備え、
前記測位結果取得部が、前記決定部により前記取得装置による前記測定用データを用いると決定された場合に、前記測定用データ取得部および前記取得装置による前記測定用データを用いて前記移動体の測位結果を取得する請求項１〜３のいずれか１項に記載の携帯端末。
【請求項５】
前記取得装置から受信した属性データが予め与えられた条件を満たした場合に、前記決定部が、前記取得装置による前記測定用データを用いると決定する請求項４記載の携帯端末。
【請求項６】
地図データを記憶する地図データ記憶部をさらに備え、
前記測位結果取得部が、前記地図データ及び前記測定用データに基づく測位結果を取得する請求項１〜５のいずれか１項に記載の携帯端末。
【請求項７】
前記測位結果の表示データを作成する表示データ作成部をさらに備え、
前記検出部が、前記無線通信部が無線通信可能で前記移動体上の装置の中から表示装置をさらに検出し、
前記表示装置に前記無線通信部により前記表示データを転送することで、当該表示装置に前記表示データを表示させる請求項１〜６のいずれか１項に記載の携帯端末。
【請求項８】
前記表示装置から前記無線通信部により受信した操作データに対する処理を実行する操作処理部をさらに備える請求項７記載の携帯端末。
【請求項９】
利用者により登録されたデータを記憶する登録データ記憶部をさらに備え、
前記操作データが、前記登録データ記憶部のデータを利用する操作を表す請求項８記載の携帯端末。
【請求項１０】
移動体の位置測定に用いられる測定用データを取得する測定用データ取得部と、無線通信部とを備える携帯端末のための位置測定方法であって、
前記無線通信部が無線通信可能で移動体上の装置の中から、前記測定用データ取得部とは別に測定用データを取得可能な取得装置を検出する手順と、
前記測定用データ取得部および前記取得装置による前記測定用データを用いて前記移動体の測位結果を取得する手順と
を備える位置測定方法。
【請求項１１】
請求項１０記載の位置測定方法の手順を携帯端末のコンピュータに実行させるための位置測定プログラム。
【発明の詳細な説明】
【技術分野】
【０００１】
本発明は、車両のような移動体の位置を測定するのに利用可能な携帯端末、当該端末のための位置測定方法、および位置測定プログラムに関する。
【背景技術】
【０００２】
ナビゲーションには、移動体に搭載される専用装置の他に、スマートフォンのような携帯端末を利用することができる。専用のナビゲーション装置は、例えば特許文献１に記載されているように、ＧＰＳ（Global Positioning System）と自律航法ユニットの両方を用いて位置測定するものが多い。一方、携帯端末の場合は、ＧＰＳのみを用いるものが多く、自律航法機能があるものでもその精度は高くない。
【先行技術文献】
【特許文献】
【０００３】
【特許文献１】特開２００８−７６３８９号公報
【発明の概要】
【発明が解決しようとする課題】
【０００４】
しかしながら、携帯端末のユーザは、位置測定の精度を多少犠牲にしてでも、操作や情報を集約するため、専用装置よりも携帯端末をナビゲーションに利用することがある。さらに携帯端末をそのままナビゲーション用に使うには画面が狭いなどの不都合もある。
本発明は、このような事情に鑑みてなされたものであり、移動体の位置測定を行うユーザの利便性を向上させることのできる携帯端末、当該端末のための位置測定方法、および位置測定プログラムを提供することを課題とする。
【課題を解決するための手段】
【０００５】
本発明の提供する携帯端末は、移動体の位置測定に用いられる測定用データを取得する測定用データ取得部と、無線通信部と、前記無線通信部が無線通信可能で移動体上の装置の中から、前記測定用データ取得部とは別に測定用データを取得可能な取得装置を検出する検出部と、前記測定用データ取得部および前記取得装置による前記測定用データを用いて前記移動体の測位結果を取得する測位結果取得部とを備える。
【０００６】
この携帯端末は、無線通信可能で移動体上の装置の中から、測定用データを取得可能な取得装置を検出することで、移動体上の装置による測定用データを簡単に利用することができ、携帯端末で位置測定を行いたいユーザの利便性を向上させることができる。
【０００７】
本発明の一実施態様において、前記測位結果取得部は、前記取得装置から前記測定用データを前記無線通信部により受信し、前記測定用データ取得部および前記取得装置による前記測定用データを用いて測位を行うことで、前記測位結果を取得することができる。また、前記測位結果取得部は、前記測定用データ取得部による前記測定用データを前記取得装置に前記無線通信部により送信し、前記取得装置および前記測定用データ取得部による前記測定用データに基づいて当該取得装置により測位された結果を受信することで、前記測位結果を取得するようにしてもよい。
【０００８】
本発明の一実施態様において、携帯端末は、前記取得装置による前記測定用データを前記移動体の位置測定に用いるか否かを決定する決定部をさらに備え、前記測位結果取得部は、前記決定部により前記取得装置による前記測定用データを用いると決定された場合に、前記測定用データ取得部および前記取得装置による前記測定用データを用いて前記移動体の測位結果を取得することができる。たとえば、前記取得装置から受信した属性データが予め与えられた条件を満たした場合に、前記決定部は、前記取得装置による前記測定用データを用いると決定する。
【０００９】
本発明の一実施態様において、携帯端末は、地図データを記憶する地図データ記憶部をさらに備え、前記測位結果取得部は、前記地図データ及び前記測定用データに基づく測位結果を取得することができる。
【００１０】
本発明の一実施態様において、携帯端末は、前記測位結果の表示データを作成する表示データ作成部をさらに備え、前記検出部が、前記無線通信部が無線通信可能で前記移動体上の装置の中から表示装置をさらに検出し、前記表示装置に前記無線通信部により前記表示データを転送することで、当該表示装置に前記表示データを表示させることができる。
【００１１】
携帯端末は、前記表示装置から前記無線通信部により受信した操作データに対する処理を実行する操作処理部をさらに備えることができる。携帯端末は、利用者により登録されたデータを記憶する登録データ記憶部をさらに備え、前記操作データが、前記登録データ記憶部のデータを利用する操作を表すようにしてもよい。
【００１２】
本発明の他の観点によれば、移動体の位置測定に用いられる測定用データを取得する測定用データ取得部と、無線通信部とを備える携帯端末のための位置測定方法であって、前記無線通信部が無線通信可能で移動体上の装置の中から、前記測定用データ取得部とは別に測定用データを取得可能な取得装置を検出する手順と、前記測定用データ取得部および前記取得装置による前記測定用データを用いて前記移動体の測位結果を取得する手順とを備える位置測定方法を提供する。
本発明の他の観点によれば、上述のような位置測定方法の手順を携帯端末のコンピュータに実行させるための位置測定プログラムを提供する。
【発明の効果】
【００１３】
本発明によれば、携帯端末で移動体の位置測定を行うユーザの利便性を向上させることができる。
【図面の簡単な説明】
【００１４】
本発明の前述やその他の目的、特徴および利点は、以下で添付図面を参照して説明する実施の形態でより明らかにする。図面において、同一の符号は異なる図面においても同一部分を示す。
【図１】本発明の実施の形態に係る携帯端末の概要を説明するための図である。
【図２】本発明の実施の形態に係る携帯端末の構成例を示す図である。
【図３】表示装置上の経路案内画面に対する操作例を説明するための図である。
【発明を実施するための形態】
【００１５】
図１は本発明の実施の形態に係る携帯端末の概要を説明するための図である。この携帯端末１００は、ＧＰＳを内蔵し自らの位置測定を行うことができる。車両のような移動体１０１に携帯端末１００を持ち込むことで、ユーザは、当該移動体１０１の位置測定に携帯端末１００を利用することができる。また携帯端末１００は、移動体１０１に搭載されたナビゲーション装置１０２や表示装置１０３と無線通信が可能である。
【００１６】
ナビゲーション装置１０２は、ＧＰＳ衛星１０４からの位置情報を受信するＧＰＳモジュール１０５と自律航法ユニット１０６とを備える。自律航法ユニット１０６は、ジャイロセンサや加速度センサ、車両から得た車速信号を取得する。ナビゲーション装置１０２は、ＧＰＳモジュール１０５および自律航法ユニット１０６から得た情報、および地図情報に基づき、移動体１０１の位置測定を行う。ナビゲーション装置１０２は、その測定結果および目的地設定などに基づき推奨経路を算出し、ディスプレイ１０７に推奨経路を表示することで経路案内をすることができる。
【００１７】
ナビゲーション装置１０２は、さらに無線通信モジュール１０８を備える。無線通信モジュール１０８は、数１０ｍ範囲内の近距離無線通信を他の機器とするためのモジュールである。近距離無線通信には、パーソナルエリアネットワークを構成するための例えば無線ＬＡＮを用いることができる。機器間の接続は、アドホックモードであっても、インフラストラクチャモードであってもよい。
【００１８】
表示装置１０３は、ディスプレイ部１０９を備えるほか、無線通信モジュール１１０を備える。表示装置１０３は、映像や静止画をディスプレイ部１０９により表示する。無線通信モジュール１１０は、無線通信モジュール１０８と同様、近距離無線通信用のモジュールである。表示装置１０３は、無線通信モジュール１１０により受信した映像や静止画をディスプレイ部１０９に表示することもできる。またディスプレイ部１０９は、例えばタッチパネル付液晶パネルであり、タッチパネルで検出した操作信号を無線通信部１１０によりネットワークに送信することができる。
【００１９】
携帯端末１００は、このようなナビゲーション装置１０２や表示装置１０３と無線通信し、ナビゲーション装置１０２から、移動体１０１の位置測定に用いる測定用データを受信する。携帯端末１００は、ナビゲーション装置１０２による測定用データおよび内蔵ＧＰＳによる測定用データに基づいて位置測定を行う。さらに携帯端末１００は、その測定結果に基づき推奨経路を算出し、経路案内の映像を表示装置１０３により表示する。これによって、携帯端末で移動体の位置測定を行うユーザの利便性を向上させる。
【００２０】
図２は本発明の実施の形態に係る携帯端末の構成例を示す図である。携帯端末１００は、測定用データ取得部２０１、無線通信部２０２、表示データ作成部２０３、ディスプレイ部２０４、記憶部２０５、および演算処理部２０６を備える。
【００２１】
測定用データ取得部２０１は、移動体の位置測定に用いられる測定用データを取得する。測定用データ取得部２０１にはＧＰＳモジュールを用いることができ、本実施の形態において、測定用データ取得部２０１は、ＧＰＳ衛星からの位置情報を取得する。しかしながら、測定用データ取得部２０１は、他の方法により測定用データを取得するものであってもよい。
【００２２】
無線通信部２０２には、例えば無線ＬＡＮモジュールのような近距離無線通信用の無線通信モジュールを用いることができる。無線通信部２０２は、移動体上のナビゲーション装置１０２や表示装置１０３と無線通信するのに用いられる。この無線通信部２０２は、インターネットに接続するような別の目的にも利用することができる。
【００２３】
表示データ作成部２０３は、演算処理部２０６の指令に従い、映像または静止画の表示データを作成し、ディスプレイ部２０４または無線通信部２０２に出力する。ディスプレイ部２０４にはタッチパネル付液晶パネルを用いることができる。ディスプレイ部２０４は、表示データ作成部２０３により作成された表示データを出力すると共に、タッチパネルによりユーザの操作を検出し、演算処理部２０６に出力する。
【００２４】
記憶部２０５には、フラッシュメモリのような半導体素子やハードディスクドライブを用いることができる。記憶部２０５は、携帯端末１００で位置測定を行うための位置測定プログラムを含む各種アプリケーションの実行ファイルや、ユーザやシステム上の様々なデータを格納する。アプリケーションの実行ファイルは、携帯端末１００へ取り外し可能な記録媒体から記憶部２０５に導入することもできるし、無線通信部２０２によりインターネットを介して導入することもできる。
【００２５】
演算処理部２０６には、ＣＰＵのような汎用演算処理ユニットを用いることができる。演算処理部２０６は、図示しない内部バスを介して、これら測定用データ取得部２０１、無線通信部２０２、表示データ作成部２０３、ディスプレイ部２０４、および記憶部２０５と接続され、それらに対して入出力を行うことで、携帯端末１００全体を制御する。
【００２６】
演算処理部２０６は、ユーザの指示または予め登録された設定に従い、記憶部２０５に格納された位置測定プログラム２０７を実行することにより、位置測定用の端末として携帯端末１００を機能させる。このとき、演算処理部２０６は、少なくとも検出部２０８および測位結果取得部２０９として機能する。
【００２７】
検出部２０８は、無線通信部２０２が無線通信可能な移動体上の装置の中から、測定用データ取得部２０１とは別に測定用データを取得可能な取得装置を検出する。本実施の形態において、無線通信部２０２は、携帯端末１００が持ち込まれた移動体上のナビゲーション装置１０２および表示装置１０３と無線通信が可能である。無線通信部２０２は、演算処理部２０６の指令に従い、ナビゲーション装置１０２および表示装置１０３とそれぞれ無線通信し、各装置から測定用データを取得可能かどうか検出する。例えばユーザは、ナビゲーション装置１０２の通信アドレスを取得装置の識別情報として記憶部２０５に予め登録しておく。この場合、検出部２０８は、無線通信部２０２により受信された通信相手の通信アドレスが記憶部２０５に登録されたアドレスと合致するか否かによって、当該通信相手から測定用データを取得可能かどうか検出することができる。
【００２８】
測位結果取得部２０９は、測定用データ取得部２０１および取得装置による測定用データを用いて移動体の測位結果を取得する。ここでは、測位結果取得部２０９は、ナビゲーション装置１０２から測定用データを無線通信部２０２により受信し、測定用データ取得部２０１および取得装置による測定用データを用いて測位を行うことで、測位結果を取得する。例えば測位結果取得部２０９は、ナビゲーション装置１０２から自律航法ユニットにより得られたデータを無線通信部２０２により受信する。測位結果取得部２０９は、位置測定を行う際、記憶部２０５にアクセスし、その記憶部２０５上に構成された地図データ記憶部２１０の地図データを参照することができる。
【００２９】
これによって、携帯端末１００は、ナビゲーション装置１０２で得られる精度の高い測定用データを取得し、それを用いて測位をすることが可能となる。携帯端末１００が移動体に持ち込まれ、移動体上の装置と無線通信可能な状態になれば、携帯端末１００が取得装置を検出するので、測定用データを取得装置から取得するのは簡単である。このため、ユーザは、ナビゲーション装置１０２を利用しなくても、携帯端末１００により精度の比較的高い位置測定結果を得ることができる。したがって、操作や情報を携帯端末１００に集約することができ、ユーザの利便性が向上する。例えば位置測定結果に対してユーザがメモを登録する場合も、そのメモのデータは携帯端末１００に記憶することができる。このため、移動体から離れたところで当該データを参照したい場合でも、ナビゲーション装置に登録したデータを携帯端末に入力し直したり転送したりする必要がない。
【００３０】
携帯端末１００において、演算処理部２０６は、位置測定プログラム２０７を実行することにより、さらに決定部２１１として機能することができる。決定部２１１は、取得装置による測定用データを移動体の位置測定に用いるか否かを決定する。決定部２１１は、検出部２０８により取得装置が検出されれば、当該取得装置による測定用データを移動体の位置測定に用いると決定してもよい。
【００３１】
さらに決定部２１１は、取得装置から受信した属性データが予め与えられた条件を満たした場合に、当該取得装置による測定用データを用いると決定するようにしてもよい。例えば、ナビゲーション装置１０２に備えられたＧＰＳやセンサ等のデバイスやデータの種類、利用される測地系の種類、測定精度、ナビゲーション装置１０２が搭載された車両の識別情報、ナビゲーション装置１０２の所有者の識別情報などを属性データとして当該取得装置から無線通信部２０２により受信する。決定部２１１は、ナビゲーション装置１０２と携帯端末１００とで所有者が一致するときは、当該取得装置による測定用データを利用すると決定し、相違するときは、利用しないと決定することができる。
【００３２】
決定部２１１は、ナビゲーション装置１０２のような移動体上の装置により行われた認証結果を受信することで、当該装置による測定用データを利用するか否かを決定するようにしてもよい。この場合、決定部２１１は、携帯端末１００に登録されたユーザＩＤや携帯端末ＩＤ、電話番号、携帯端末の通信アドレス、携帯端末を利用する移動体のＩＤ、パスワード、などの識別情報を無線通信部２０２に送信させる。ナビゲーション装置１０２には、予め携帯端末に対する識別情報が登録されており、各装置は、識別情報を受信すると、登録された識別情報と合致するか否かの認証を実行する。認証が成功したとの結果を受信した場合、決定部２１１は、当該取得装置による測定データを利用すると決定し、認証が失敗したとの結果を受信した場合、当該取得装置による測定データを利用しないと決定することができる。
【００３３】
携帯端末１００において、さらに演算処理部２０６は、位置測定プログラム２０７を実行することにより、経路計算部２１２として機能することができる。経路計算部２１２は、測位結果取得部２０９により得られた測位結果、目的値の設定、および地図データ記憶部２１０の地図データに基づき推奨経路を計算する。経路計算部２１２は、計算した推奨経路を表示データ作成部２０３に出力する。表示データ作成部２０３がこの推奨経路を含む表示データを例えばディスプレイ部２０４に出力することにより、ユーザは、経路案内を利用することができる。
【００３４】
表示データ作成部２０３は、携帯端末１００のディスプレイ部２０４に表示データを出力するのに代えて、または加えて、無線通信部２０２に表示データを出力することもできる。無線通信部２０２に表示データを出力する場合、それに先立ち、検出部２０８が、移動体上の装置の中から表示装置を検出する。例えばユーザは、表示装置１０３の通信アドレスを表示装置の識別情報として記憶部２０５に予め登録しておく。検出部２０８は、無線通信部２０２により移動体上の各装置と通信したときに各装置から受信した通信相手の通信アドレスが記憶部２０５に登録されたアドレスと合致するか否かによって、当該通信相手から測定用データを取得可能かどうか検出することができる。
【００３５】
検出部２０８により、移動体上の装置の中から表示装置１０３が検出されると、無線通信部２０２は、演算処理部２０６の指令に従い、表示データ作成部２０２により得られた表示データを表示装置１０３に転送する。これによって、ユーザは、携帯端末１００のディスプレイ部２０４より大きな画面を有する表示装置１０３で経路案内を利用したり、移動体に携帯端末１００をクレイドル等に固定せず持ち込むだけで使用したりすることができる。さらにユーザが搭乗する移動体が変わっても、携帯端末１００により同じ操作性を提供できるなど、ユーザの利便性が向上する。
【００３６】
表示装置に転送される表示データは、オーディオデータを含んでもよい。表示装置１０３がスピーカを有している場合、演算処理部２０６は、そのオーディオデータも表示装置１０３に再生させる。これにより、携帯端末１００の比較的小型なスピーカを出力する必要がなくなり、案内音声や警告音などをユーザが聞き易くなる。
【００３７】
演算処理部２０６は、表示データ作成部２０３により得られた表示データを表示装置に表示させるか否かや、表示装置が複数検出されたときに利用する表示装置を、表示装置から受信した属性データに基づいて決定するようにしてもよい。属性データは、例えば表示装置の画面サイズ、解像度、アスペクト比、デコーダの種類、スピーカの有無、表示装置１０３が搭載された車両の識別情報、表示装置１０３の所有者の識別情報などである。演算処理部２０６は、表示装置１０３と携帯端末１００とで所有者が一致するときは、当該表示装置を利用すると決定し、相違するときは、利用しないと決定することができる。また決定部２１１と同様に、表示装置１０３から受信した認証結果にしたがって利用するかどうかを演算処理部２０６が決定することもできる。
【００３８】
さらに演算処理部２０６は、位置測定プログラム２０７を実行することにより、操作処理部２１３として機能することができる。操作処理部２１３は、表示装置から無線通信部２０２により受信した操作データに対する処理を実行する。操作処理部２１３は、表示装置に表示された画面に対する操作データを受信し、その操作データに対する演算を実行し、必要に応じてその結果に基づき表示データ作成部２０３に表示データを更新させる。これにより、表示装置１０３上で経路案内等を行う場合でも、ユーザは携帯端末１００に指示を与えることができる。
【００３９】
携帯端末１００において、記憶部２０５上には、登録データ記憶部２１４を構成することができる。登録データ記憶部２１４は、利用者により登録されたデータを記憶する。登録データは、電話番号や住所、メモなどである。ユーザは、表示装置上の画面に対して操作を行うときも、操作処理部２１３の機能によりその登録データを利用することができる。
【００４０】
図３は表示装置上の経路案内画面に対する操作例を説明するための図である。この例では、電話機能を有する携帯端末１００が２台の表示装置３０１および３０２と無線通信可能であり、いずれの表示装置も、携帯端末１００から受信した経路案内画面３０３を表示する。経路案内画面３０３は、携帯端末１００に登録されたラーメン店舗の名称「ラーメンＡ」および電話番号「××−×××−…」３０４の表示を含む。ユーザが表示装置３０１上の電話番号３０４を選択する操作を行うと、携帯端末１００は、表示装置３０１からその操作データを無線通信部により受信する。操作処理部は、その操作データを受信すると、操作ボタン３０５のデータを表示データ作成部により表示装置３０１にのみ送信させる。表示装置３０１は、発信ボタン３０５を追加表示する。このとき、表示装置３０２の画面は表示装置３０１と同じにしてもよいし、異ならせてもよい。発信ボタン３０５を押す操作があると、操作処理部は、電話機能に発信させ、目的地の電話番号に携帯端末を接続する。テレビ電話である場合には、相手の映像３０６を表示装置３０１上に表示させるようにしてもよい。さらに相手の音声を表示装置３０１から出力するようにしてもよい。
【００４１】
このように携帯端末１００で経路案内を行い、その画面を表示装置に表示させることにより、ユーザは、携帯端末１００に登録されたデータを参照したり、そのデータに対して操作したりすることができる。これによって、例えばナビゲーション装置に登録された電話番号を別途読み出したり、その番号を携帯端末で入力し直したりする必要がなくなる。ユーザの操作が表示装置に集約され、ユーザの利便性が向上する。
【００４２】
また情報の集約もし易い。例えば店舗「ラーメンＡ」に対して、お奨めメニューをユーザがメモしたいとする。ユーザが店舗名「ラーメンＡ」を表示装置３０２上で選択すると、携帯端末１００は、メモボタン３０７を含むメモ欄３０８を表示装置３０２に追加表示させる。メモ欄３０８にお奨めメニューをユーザが入力しメモボタン３０７を押す操作を行うと、携帯端末１００は、表示装置３０２からそのメモデータを受信し、当該店舗「ラーメンＡ」の関連データとして、そのメモデータを記憶部に格納する。このようにして携帯端末にメモを登録（集約）すれば、ナビゲーション装置に入力したメモを、あらためて携帯端末に入力し直したり転送したりする必要がなくなり、ユーザの利便性が向上する。
【００４３】
さらに、この例のように複数の表示装置が移動体にある場合に、各表示装置に経路案内画面を表示することにより、携帯端末１００が１台であっても、移動体に搭乗する複数のユーザが操作できるようになる。
【００４４】
上述の実施の形態では、測位結果取得部は、ナビゲーション装置から自律航法ユニットのデータを取得したが、これに限られるものではない。携帯端末は、例えばナビゲーション装置のＧＰＳモジュールにより得られた位置情報を受信するようにしてもよい。さらに、測位結果取得部は、測定用データ取得部による測定用データを無線通信部によりナビゲーション装置に送信し、その測定用データおよびナビゲーション装置で得られた測定用データに基づきナビゲーション装置で測定した結果を受信することにより、測位結果を取得するようにしてもよい。さらに、携帯端末およびナビゲーション装置双方で測位を行い、携帯端末で両方の結果に基づき移動体の位置を決定するようにしてもよい。
【００４５】
上述の実施の形態では、携帯端末は、ナビゲーション装置および表示装置と通信したが、これに限られるものではない。ナビゲーション装置および表示装置の一方のみが移動体に搭載されているときには、その一方のみと携帯端末は通信すればよい。さらに、携帯端末は、ナビゲーション装置および表示装置以外の移動体上の装置と通信するようにしてもよい。例えば、地図データやナビゲーション機能を有さず、ＧＰＳモジュールや自律航法ユニットなどの位置測定ユニットを有する位置測定装置と携帯端末が通信するようにしてもよい。
【００４６】
上述した実施の形態は本発明の技術的範囲を制限するものではなく、本発明の範囲内で種々の変形や応用が可能である。
【産業上の利用可能性】
【００４７】
本発明の携帯端末、当該端末のための位置測定方法、および位置測定プログラムは、携帯端末で移動体の位置測定を行うユーザの利便性を向上させることができ、スマートフォンや携帯電話を用いた経路案内などの用途に有用である。
【符号の説明】
【００４８】
１００  携帯端末          １０１  移動体        １０２  ナビゲーション装置
１０３  表示装置          １０４  ＧＰＳ衛星    １０５  ＧＰＳモジュール
１０６  自律航法ユニット  １０７  ディスプレイ  １０８  無線通信部
１０９  ディスプレイ部    １１０  無線通信部
２０１  測定用データ取得部      ２０２  無線通信部
２０３  表示データ作成部        ２０４  ディスプレイ部
２０５  記憶部                  ２０６  演算処理部
２０７  位置測定プログラム      ２０８  検出部
２０９  測位結果取得部          ２１０  地図データ記憶部
２１１  決定部                  ２１２  経路計算部
２１３  操作処理部              ２１４  登録データ記憶部
３０１、３０２  表示装置        ３０３  経路案内画面
３０４  店舗表示                ３０５  発信ボタン
３０６  テレビ電話画面          ３０７  メモボタン
３０８  メモ欄
【図１】
2013213797.tif 000003
【図２】
2013213797.tif 000004
【図３】
2013213797.tif 000005